(57)【要約】      （修正有）【課題】無線周波数発信自動識別システムのタグの受信距離及び範囲が向上し、さらに学術理論の運用に合わせ、合理的に設計且つ組み立てし消費者に提供し得る電子タグ紙箱を提供する。【解決手段】箱体内にバッファー材が設置され、該バッファー材の一方側に吸収材が設けられ、該バッファー材の箱体に対応する外側には、無線周波数発信自動識別システムのタグの受信距離及び範囲を向上するように、無線周波数発信自動識別システムのタグを設ける。【選択図】図１
0003117829.tif 000002
【実用新案登録請求の範囲】
【請求項１】
主に、箱体を有し、
該箱体内にバッファー材が設置され、
該バッファー材の一方側に吸収材（Ａｂｓｏｒｂｅｒ）が設けられ、
該バッファー材の箱体に対応する外側には、無線周波数発信自動識別システム（ＲＦＩＤ）のタグの受信距離及び範囲を向上するように無線周波数発信自動識別システム（ＲＦＩＤ）のタグが設けられていることを特徴とする、
電子タグ紙箱。
【請求項２】
前記バッファー材が紙材であることを特徴とする、請求項１記載の電子タグ紙箱。
【請求項３】
前記バッファー材がプラスチック材であることを特徴とする、請求項１記載の電子タグ紙箱。
【請求項４】
前記バッファー材がポリスチレン材であることを特徴とする、請求項１記載の電子タグ紙箱。
【請求項５】
前記吸収材は、その応用周波範囲が１〜４０ＧＨｚであることを特徴とする、請求項１記載の電子タグ紙箱。
【請求項６】
前記タグが、無線受送信機能のエミッター、レシーバー及びメモリＩＣを含み、該メモリＩＣ内に識別データが格納され、エミッター、レシーバーによりデータを伝送することを特徴とする、請求項１記載の電子タグ紙箱。
【請求項７】
前記タグが受動式タグであり、該受動式タグが外部電磁誘導により電力を発生しデータを伝送することを特徴とする、請求項１記載の電子タグ紙箱。
【考案の詳細な説明】
【技術分野】
【０００１】
本考案は、無線周波数発信自動識別システム（ＲＦＩＤ）のタグの受信距離及び範囲を向上する電子タグ紙箱に係わり、特に様々の紙箱或は類似構造に適応できる電子タグ紙箱に関するものである。
【背景技術】
【０００２】
従来の物流が、コンテナ運輸の方面、或いは商品を識別する上でバーコードを採用している。一般に、バーコードは商品の最外層に標示されるので、汚れや破損になることが避けられない。一旦汚れや破損があれば、バーコード読取機が読めなくなり、識別が困難になる。一方、流水ライン作業上にも面倒が多く増加され、効率が悪くなる。商品の上に識別し易いようにバーコードを貼っても、識別を完了した後にバーコードを剥す必要がある。これらの動作が共に全部のフロー進度を遅延する可能性がある。そのため、これらの方式で代わり、動作を省略できて効率よく対処でき、かつ時間とコストを省略できる技術の提案が望まれている。
【考案の開示】
【考案が解決しようとする課題】
【０００３】
ＲＦＩＤ（Ｒａｄｉｏ  Ｆｒｅｑｕｅｎｃｙ  Ｉｄｅｎｔｉｆｉｃａｔｉｏｎ）システムは、このような状況で発展してきたものである。ＲＦＩＤは、無線電の識別システムで、人或いはものに付着するＩＤタグ（ＩＣがチップやアンテナより構成され、カードを含む）と読取機及びコントローラーとの間に通信し、無線方式で必要な情報交換を実施することが出来る。ＲＦＩＤが電子データで、繰り返し複写できるため、タグを回収できれば、繰り返し使用することが出来る。受動式で言えば、電池はなくても使用でき、メンテナンスする必要はない。また、ＲＦＩＤが、紙、木材及びプラスチック等非透明の材質に覆われると、透過性のある通信も行える。ただ、鉄材の金属であれば、通信が出来なくなる。
【０００４】
本考案は前記した従来の欠点を鑑みて成されたもので、無線周波数発信自動識別システム（ＲＦＩＤ）のタグの受信距離及び範囲を向上し、さらに学術理論の運用に合せ、合理的に設計且つ組み立てし消費者に提供し得る電子タグ紙箱を提供することを目的とする。
【課題を解決するための手段】
【０００５】
本考案の主な目的は、パッケージ上にバッファー材を設置する設計で、電磁波吸収材の応用に合わせて、受信距離及び範囲を向上し、使用便利な効果を達し、その便利性及び実用性を増加させる電子タグ紙箱を提供する。
【０００６】
本考案の他一つの目的は、紙箱の内容物が金属或いは液体である時に、ＲＦＩＤのタグ受信距離を影響しない電子タグ紙箱を提供する。
【０００７】
すなわち、本願の第１考案は、主に、箱体を有し、該箱体内にバッファー材が設置され、該バッファー材の一方側に吸収材（Ａｂｓｏｒｂｅｒ）が設けられ、該バッファー材の箱体に対応する外側には、無線周波数発信自動識別システム（ＲＦＩＤ）のタグの受信距離及び範囲を向上するように無線周波数発信自動識別システム（ＲＦＩＤ）のタグが設けられていることを特徴とする、電子タグ紙箱を提供する。
本願の第２考案は、前記バッファー材が紙材であることを特徴とする、前記第１考案に記載の電子タグ紙箱を提供する。
本願の第３考案は、前記バッファー材がプラスチック材であることを特徴とする、前記第１考案に記載の電子タグ紙箱を提供する。
本願の第４考案は、前記バッファー材がポリスチレン材であることを特徴とする、前記第１考案に記載の電子タグ紙箱を提供する。
本願の第５考案は、前記吸収材は、その応用周波範囲が１〜４０ＧＨｚであることを特徴とする、前記第１考案に記載の電子タグ紙箱を提供する。
本願の第６考案は、前記タグが、無線受送信機能のエミッター、レシーバー及びメモリＩＣを含み、該メモリＩＣ内に識別データが格納され、エミッター、レシーバーによりデータを伝送することを特徴とする、前記第１考案に記載の電子タグ紙箱を提供する。
本願の第７考案は、前記タグが受動式タグであり、該受動式タグが外部電磁誘導により電力を発生しデータを伝送することを特徴とする、前記第１考案に記載の電子タグ紙箱を提供する。
【考案の効果】
【０００８】
本考案は予期の創作目的を達成でき、無線周波数発信自動識別システム（ＲＦＩＤ）のタグの受信距離及び範囲を向上する電子タグ紙箱を供給することができる。
【考案を実施するための最良の形態】
【０００９】
本考案の特徴及び具体的な実施例は、後続の詳しい説明及び図示により了解できる。
【００１０】
図１、図２に示されるように、本考案は、電子タグ紙箱であり、該電子タグ紙箱が、箱体１を有し、該箱体１内にバッファー材２が設置されている。該バッファー材２は紙材、プラスチック材或いはポリスチレン材で形成されている。該バッファー材２の箱体１に対応する外側には、無線周波数発信自動識別システム（ＲＦＩＤ）のタグ３が設けられる。該タグ３は無線受送信機能のエミッター、レシーバー及びメモリＩＣを含む。該メモリＩＣ内に識別データが格納され、エミッター及びレシーバーによりデータを伝送する。該タグ３は受動式タグ３であり、該受動式タグ３が外部電磁誘導により電力を発生しデータを伝送する。バッファー材２の一方側に吸収材（Ａｂｓｏｒｂｅｒ）４が設けられ、該吸収材４がタグ３から伝送してきた箱体内容物に反射される電波を吸収或いは抑制できる。さらに吸収電磁波のエネルギーを熱のエネルギーに転換し、吸収材４の応用周波範囲が１〜４０ＧＨｚであり、特定の周波数、マルチ周波数或いはワイドバンド上に応用でき、或いは電子製品の軽く小さい特徴に配合できる。そのため、電磁波吸収材の応用に合わせて、無線周波数発信自動識別システム（ＲＦＩＤ）のタグ３の受信距離及び範囲を向上できる。
【００１１】
以上のようにして、電子タグ紙箱を構成する。図１、図２に示されるように、本考案の特徴は、箱体１内にバッファー材２を設置し、該バッファー材２の箱体１に対応する外側には、無線周波数発信自動識別システム（ＲＦＩＤ）のタグ３を設け、バッファー材２の一方側に吸収材４を設けることで、受信距離及び範囲を向上できる効果を有すると共に、使用しやすいという効果を達する。
【００１２】
図３、図４を基に説明する。本考案の実施例である。箱体１の内容物５は、金属物体、或いは液体である時に、無線周波数発信自動識別システム（ＲＦＩＤ）のタグ３が該箱体の内容物材質に影響され伝送信号が弱くなりつつあるが、バッファー材２の一方側に吸収材４が設けられることにより、該吸収材４が箱体内容物から伝送してきた箱体内容物に反射される電波を抑制或いは吸収でき、吸収材４により無線周波数発信自動識別システム（ＲＦＩＤ）のタグの受信距離及び範囲を向上できるという効果を達成できる。
【００１３】
以上のように開示された構成は、単に本考案の好ましい実施例に過ぎなく、本考案の特徴を限定するものではなく、いずれの当該分野における通常の知識を有する専門家が本考案の分野の中で、適当に変換や修飾などを実施できる範囲も本考案の範囲内に含まれることは言うまでもないことである。
【００１４】
以上のように、本考案は予期の創作目的を達成でき、無線周波数発信自動識別システム（ＲＦＩＤ）のタグの受信距離及び範囲を向上する電子タグ紙箱を供給する。
【図面の簡単な説明】
【００１５】
【図１】本考案の実施例を示す斜視外観図である。
【図２】本考案の実施例を示す断面図である。
【図３】本考案の実施例の使用状態を示す図である。
【図４】本考案の実施例の使用状態を示す断面図である。
【符号の説明】
【００１６】
１・・・・・・箱体
２・・・・・・バッファー材
３・・・・・・タグ
４・・・・・・吸収材
５・・・・・・内容物
【図１】
0003117829.tif 000003
【図２】
0003117829.tif 000004
【図３】
0003117829.tif 000005
【図４】
0003117829.tif 000006